(57)【特許請求の範囲】
【請求項１】
２個の筒状部が入れ子式に嵌め合って全長が変化し、一方の筒状部に嵌め合う側に向けて突出する複数のバネ腕を一体に設け、他方の筒状部の外周にバネ腕先端が係合支持される支持部を設け、バネ腕の弾性で全長が伸びる方向に付勢されることを特徴とするコンクリート製品用穴開けスリーブ
【請求項２】
前記バネ腕が２種類以上の異なる長さを有する請求項１のコンクリート製品穴開けスリーブ
【請求項３】
前記バネ腕の先端にリング部を形成し、前記他方の筒状部周囲には前記支持部である凸部を形成し、該リング部を前記他方の筒状部に嵌挿し該凸部に係合支持させる請求項１のコンクリート製品穴開けスリーブ
【請求項４】
前記他方の筒状部の前記凸部の後端に、前記一方の筒状部の先端が嵌入する周溝を形成した請求項３のコンクリート製品穴開けスリーブ
【発明の詳細な説明】
【０００１】
【産業上の利用分野】
本発明は、側溝用ブロック、桝用ブロック、擁壁用ブロック等種々のコンクリート製品に、水抜き用、配管用、吊り上げ用等の種々の用途の穴を開けるための穴開けスリーブに関する。
【０００２】
【従来の技術】
コンクリート製品の穴開けは、穴を開ける部分の型枠に筒状のスリーブを取り付け、該スリーブ内にコンクリートが入り込まないようにして開けられる。図１８、１９に示すのは、従来の穴開け治具８０である。これは、スリーブ８１とつかみ８２かならる。スリーブ８１は多くの場合プラスチック製で、長尺の筒を適宜長さに切断して用いられる。つかみ８２はプラスチック製で、短い筒状をなし、スリーブ８１外周に嵌着する。つかみ８２の外側には鉄筋ｔに掛止するための係合部８３が形成されており、型枠８４内部に鉄筋により固定される。
【０００３】
図２０に示すのは、他の穴開け治具９０の断面図である。これはダ棒９１とボルト９２とからなる。ダ棒９１には螺条を有するボルト孔９３が穿設され、型枠９４には孔９５が設けられ、同図に示されるようにボルト９２により型枠に固定される。この穴開け治具は、上記の治具よりもより細い穴を開けるときに用いられる。
【０００４】
【発明が解決しようとする課題】
従来の穴開け治具において、コンクリート製品の鉄筋に支持固定するものは、取付作業が煩雑であり、また、鉄筋はコンクリートを流し込むときの圧力等で型枠内を多少移動するから、完全に所定位置に穴開けをすることは難しかった。また、スリーブは所定長さに切断しなければならず、この作業も煩雑であった。ダ棒をボルトで取り付けるものは、埋め込む部分のコンクリート製品の厚さに完全に適合したダ棒を製造しなければならないから、数多くの種類を必要とする。また、型枠に孔を設けなければならないので、同一の型枠で穴開けの位置が異なる製品を製造する場合には孔を開けたり塞いだりといった手間がかかる。また、後述するように、コンクリート製品をスライドして脱型する場合には、脱型に際してボルトを取り外し、型組みのときに再度ボルトでダ打棒を取り付ける作業が必要となり、作業能率が悪い。
【０００５】
本発明は、スリーブの全長を自在として種々の厚みのコンクリート製品に適応させるとともに、スリーブの全長を伸びる方向に付勢することで型枠面と間に隙間があくことを防止するものである。
【０００６】
【課題を解決するための手段】
本発明は、２個の筒状部が入れ子式に嵌め合って全長が変化し、一方の筒状部に嵌め合う側に向けて突出する複数のバネ腕を一体に設け、他方の筒状部の外周にバネ腕先端が係合支持される支持部を設け、バネ腕の弾性で全長が伸びる方向に付勢されることを特徴とするコンクリート製品用穴開けスリーブ、及び、２個の筒状部が入れ子式に嵌め合って全長が変化し、一方の筒状部の周囲にコイルバネを装着し、該コイルバネの弾性でスリーブの全長が伸びる方向に付勢されることを特徴とするコンクリート製品用穴開けスリーブである。
【０００７】
【作用】
２個の筒状部が入れ子式に嵌め合って全長が変化するスリーブは、１種類で種々の厚さのコンクリート製品に用いることができ、バネ腕の弾性でスリーブの全長の伸びる方向に付勢すると、スリーブを型枠に取り付けた状態で、穴開け治具の両端が常に型枠面に押し付けられることとなり、コンクリートが穴開け治具の内部に侵入しない。
【０００８】
バネ腕は、筒状部と一体に成形されるから、きわめて安価に製造できる。バネ腕の長さを２種類以上の異なる長さとすると、本体が長いときは長い長さのバネ腕の作用で弾性を発揮し、本体が短いときには長いバネ腕が弾性を失っても短いバネ腕が弾性を発揮するから、本体の伸縮ストロークを長くすることができ、常に弾性を発揮できる。
【０００９】
バネ腕先端の係止部をリング状のものとし、支持部は他方の（前方）筒状部の外周に設けた凸部後端として、リング部を前方筒状部の後部に嵌挿し、凸部後端に当接して係止すると、リング部は確実に係止され、外れることがないので、バネ腕の弾性が安定して作用する。
【００１０】
凸部後端に周溝を形成し、後方筒状部の先端がこの周溝に嵌入することとすると、所定の伸縮量を得るために後方筒状部を長く形成しても、凸部の後端から突出する長さは短くなる。言い換えれば、凸部は、後方筒状部の長さの割にはコンクリート製品の厚みの内端寄りに位置することとなり、コンクリート製品の外側からスリーブ内に吊上具を差し込んで吊り上げたときの引き抜き力に対する抵抗力を大きくすることができる（凸部は引き抜き防止に作用する）。
【００１１】
【実施例】
以下実施例の図面を参照しつつ、本発明を詳細に説明する。図１は、実施例のスリーブ７の断面図、図２はその筒状部８の側面図、図３は筒状部１０の正面図、図４はセットボス２の断面図、図５はセットボス２の正面図、図６は穴開け治具１を用いて側溝用ブロック１６の成形を行う場合の説明図である。
【００１２】
穴開け治具１は、セットボス２と、筒状のスリーブ７とからなる。セットボス２はボス部３、吸着盤４、ロックレバー５、サポート部６等からなる。吸着盤４は軟質樹脂製、その他は硬質樹脂製である。ボス部３は、短い筒状をなし、その内側部３ａは吸着盤４の背面と近似した形状をしており、吸着盤の背面を押圧できるようになっている。吸着盤４の背面にはサポート部６が接続され、サポート部６はボス部３の孔を貫通して正面側に突出し、その正面側でロックレバー５がピン１２で枢着されている。ロックレバー５は根元付近がカム状になっている。型枠面に吸着盤４を押し付けた状態で、ロックレバー５を図４の状態から図１の状態に引き起こすと、ロックレバー５のカム状の根元の作用で、ボス部３の内側部３ａが吸着盤４の背面を押し付け、吸着盤４が型枠面に密着し吸着状態となる。この状態では、吸着盤４がボス部３の内側部３ａに密着して変形することができなくなっているので、完全にロック状態となり、型枠面に強固に吸着している。図４に示すように、ロックレバーを倒した状態では、吸着盤４がボス部３の内側部３ａから離れるので、吸着盤が変形することができる状態となり、吸着を解除して容易に型枠面から取り外すことができる。
【００１３】
スリーブ７は２個の筒状部８、１０からなる。筒状部８、１０は入れ子式に嵌め合いになっており、全長が変化することができる。一方の筒状部８の嵌め合う側には長いバネ腕９ａ及び短いバネ腕９ｂが各４本ずつ一体に突設されている。他方の筒状部１０の外周には、バネ腕９ａ、９ｂ先端が係合支持される支持部１１が設けられている。図１に示すように筒状部８、１０を組み立てた状態で、バネ腕９ａ、９ｂの弾性でスリーブの全長が伸びる方向に付勢される。図１の場合のように、コンクリート製品の厚みがあり穴開け治具を長い状態で用いるときには、長いバネ腕９ａが弾性変形をして反発力を生じるが、コンクリート製品の厚みが薄く、穴開け治具を短い状態で用いるときには、長いバネ腕９ａは塑性変形してしまうが、代わって短いバネ腕９ｂが弾性変形をして反発力を生じる。なお、図１中１３はキャップで、必ずしも必要なものではない。また、このキャップに代えて、次の実施例の穴開け治具２０の蓋２７のように、容易に開口できる蓋を筒状部と一体に成形することも可能である。
【００１４】
図６は穴開け治具１を側溝用ブロック１６に使用した場合の説明図である。型枠１４は外型、型枠１５は内型である。型枠１４を両側に開いて脱型を行うと、セットボス２は型枠１３に吸着したまま外れ、スリーブ７は側溝用ブロック１６中に残り、その内部が穴となる。セットボス２は反復して使用することができる。
【００１５】
吸着盤４は、曲面に対しても順応変形して吸着するので、型枠面が曲面であっても用いることができる。
【００１６】
なお、本実施例のスリーブ７は他のセットボス、つかみにより型枠に取り付けることもできる。他のセットボスとしては、吸盤に代えて磁石、ボルト等で型枠に固定するものが考えられる。ただし、磁石を用いたものはやや高価であり、ボルトを用いたものは型枠に孔を設ける不利があり、また、スライド式の脱型には適さない。
【００１７】
図７のコンクリート製品穴開け治具２０は、スリーブ２１とセットボス２２とからなる。スリーブ２１は２個の筒状部２３、２４が入れ子式に嵌め合って全長が変化する。スリーブ２１は、前述の穴開け治具１のスリーブ７とほぼ同じ構成であるが、蓋２７が筒状部２４に一体成形されている点が異なる。蓋２７は周囲に溝２７ａが形成されているので、コンクリート製品に埋め込んだ後に簡単に開口することができる。セットボス２２は、ボス部２５と吸着盤２６とからなる。ボス部２５は、硬質樹脂製で短い筒状をなし、その外端には軟質樹脂製の吸着盤２６が装着される。本実施例の場合には、ロックレバーがないので、吸着力は前述の実施例に比べやや劣る。
【００１８】
図８は穴開け治具２０を擁壁用ブロック２９に使用した場合の説明図である。型枠２８は型開きせず、硬化した擁壁用ブロック２９を上方にスライドすることで脱型する。セットボス２２はスリーブ２１内に納まったまま型枠２８面を滑って取り出され、脱型完了後にスリーブ２１から引き抜かれる。スリーブ２１の内側が穴となる。本実施例は、吸着盤の吸着力がやや弱いので、このようにスライドして脱型するコンクリート製品に用いるのに適している。
【００１９】
本実施例におけるスリーブ２０が、他のセットボス、つかみにより型枠に取り付けることもできるのは前記の実施例のスリーブ７と同様である。
【００２０】
図９〜１３は実施例のスリーブ３０に関し、図９は側面図、図１０は背面図、図１１は略断面図、図１２は組立説明図、図１３はコンクリート製品に埋設した状態の断面図である。
【００２１】
スリーブ３０は、コンクリート製品を吊り上げるための穴を開けるもので、前方筒状部３１と後方筒状部３２とからなる。前方筒状部３１はプラスチック製で筒状をなし、内面に螺条３４を、外面に碇着用の凸部３３を有する。螺条３４は、コンクリート製品を吊り上げる吊上具のボルトを螺着するためのもので、凸部３３は、スリーブに引抜き力が作用したときにスリーブがコンクリート製品から引き抜かれるのを防止するものである。凸部３３の後端はバネ腕３９の先端のリング部４３が係止し支持される支持部３６となっている。また、凸部３３の後端には、後方筒状部３２の先端が嵌入する周溝３５が形成されている。凸部３３の後方は、後方筒状部３２が摺動自在に嵌挿されるための摺嵌筒部３７となっている。摺嵌筒部３７の後端付近には環状突条３８が形成されている。
【００２２】
後方筒状部３２はプラスチック製の筒状をなし、前方筒状部３１の後端の摺嵌筒部３７に摺動自在に嵌挿される。後方筒状部３２には２本のバネ腕３９が一体に形成されている。バネ腕３９は基端部３９ａが後方筒状部３２に連結固定され、関節部４０、４１、４２で折れ曲がり、関節部４１、４２が復元しようとすることで弾性を発揮する。バネ腕３９の先端の係止部であるリング部４３を摺嵌筒部３７に嵌挿し、支持部３６となっている凸部３３後端に当接し支持せしめる。バネ腕３９は支持部３６の反力で後方筒状部３２を後方に付勢する。したがって、スリーブ３０は全長が伸びる方向に付勢される。
【００２３】
バネ腕３９は図１２に破線で示す状態で、インジェクション成形により後方筒状部３９と一体に成形される。そして、関節部４０、４１、４２を折り曲げ、図１２に示すように前方筒状部３１に嵌挿して組み立てるのである。各関節部は他の部分よりも断面積を小さくして曲がりやすくすることで形成されている。関節部の数は本実施例のようにバネ腕１本につき３ヵ所に限らず、また、関節部を無くしてバネ腕全体の弾性を利用することも可能である。
【００２４】
後方筒状部３２は摺動自在であり、スリーブ３０はその全長を変化させることができるので、その範囲内において、異なる厚さを有する種々のコンクリート製品に埋め込むことができる。後方筒状部は常に後方に付勢されているので、型枠に取り付けた場合、スリーブ３０の前端及び後端は型枠に押し付けられるように接触し、コンクリートのトロがスリーブと型枠の間に入り込むようなことがない。
【００２５】
スリーブ３０の全長を縮めたときに、後方筒状部３２の先端が凸部３３の後端に形成した周溝３５に嵌入する。これにより、後方筒状部３２の長さを長くして、スリーブの伸縮量を多くしても、凸部３３は、図１３に示すように、コンクリート製品の厚みの内端寄り（図の左側）に位置することとなり、コンクリート製品の外側（図の右側）からスリーブ内に吊上具を差し込んで吊り上げたときの引き抜き力に対する抵抗力を大きくすることができるのである。
【００２６】
後方筒状部の前端部内周に環状突条４４が、前方筒状部の後端部外周に環状突条３８が設けられているので、後方筒状部が最も後側に移動したときに環状突条３８、４４が接触しストッパーとなって、後方筒状部が前方筒状部から外れることがない。環状突条３８、４４は、先端が尖っており、接触状態が点接触に近い形で、シール効果が大きい。
【００２７】
後方筒状部３２の背面には、溝４５が円形に形成され、コンクリート製品の内側から吊上具を使用したいときは、蓋４６を打ち抜き、スリーブ内部を簡単に貫通孔とすることができるようになっている。
【００２８】
このスリーブ３０は、種々のセットボス、つかみ、ボルト等により型枠に取り付けることができる。
【００２９】
図１４は他の実施例のスリーブ５０の側面図である。スリーブ５０が前述のスリーブ３０と異なるのはバネ腕とリング部の数である。すなわち、２本のバネ腕５１の先端にはリング部５３が、更に２本のバネ腕５２の先端にはリング部５４が形成されている。バネ腕５１、５２は、図１４に破線で示すような状態で後方筒状部と一体に形成され、実線で示すように組み立てられる。このようにバネ腕を多く設ければ、バネの反発力を大きくして型枠に取り付けたときの安定性をより大きくすることができるから、大型のスリーブには有利になる。
【００３０】
このスリーブ５０は、種々のセットボス、つかみ、ボルト等により型枠に取り付けることができる。
【００３１】
図１５は更に他の実施例のスリーブ６０の略側面図、図１６はスリーブ６０の略断面図である。スリーブ６０が前述のスリーブ３０と異なるのは、後方筒状部６２のバネ腕６３の先端の係止部６４と、前方筒状部６１の支持部である。係止部６４は、バネ腕の先端の尖った部分であり、支持部は凸部の後端に設けられた孔６５である。係止部６４は図１６に示すように孔６５に挿入されて係止され、支持される。
【００３２】
このスリーブ６０は、種々のセットボス、つかみ、ボルト等により型枠に取り付けることができる。
【００３３】
【発明の効果】
本発明のスリーブは、全長が伸び縮みするので１種のスリーブで種々の厚さのコンクリート製品に適用でき、また、バネ腕の弾性で全長が伸びる方向に付勢され、型枠に取り付けた状態で、スリーブの両端が常に型枠面に押し付けられることとなり、コンクリートがスリーブの内部に侵入しない。バネ腕は、筒状部と一体に成形されるから、きわめて安価に製造できる。バネ腕の長さを２種類以上の異なる長さとすると、本体が長いときは長い長さのバネ腕の作用で弾性を発揮し、本体が短いときには長いバネ腕が弾性を失っても短いバネ腕が弾性を発揮するから、本体の伸縮ストロークを長くでき、常に弾性を発揮できる。また、バネ腕先端の係止部をリング部にすると、リング部は確実に係止され外れることがないので、バネ腕の弾性が安定して作用する。
【図面の簡単な説明】
【図１】  穴開け治具１の断面図である。
【図２】  筒状部８の側面図である。
【図３】  筒状部１０の正面図である。
【図４】  セットボス２の断面図である。
【図５】  セットボス２の正面図である。
【図６】  穴開け治具１を側溝用ブロック１６に使用した場合の説明図である。
【図７】  穴開け治具２０の断面図である。
【図８】  穴開け治具２０を擁壁用ブロック２６に使用した場合の説明図である。
【図９】  実施例のスリーブ３０の側面図である。
【図１０】  スリーブ３０の背面図である。
【図１１】  スリーブ３０の略断面図である。
【図１２】  スリーブ３０の組立説明図である。
【図１３】  スリーブ３０をコンクリート製品に埋設した状態の断面図である。
【図１４】  スリーブ５０の側面図である。
【図１５】  スリーブ６０の略側面図である。
【図１６】  スリーブ６０の略断面図である。
【図１７】  従来の穴開け治具８０の長さ方向断面図である。
【図１８】  従来の穴開け治具８０の幅方向断面図である。
【図１９】  従来の穴開け治具９０の断面図である。
【符号の説明】
１  穴開け治具
２  セットボス
３  ボス部
４  吸着盤
５  ロックレバー
６  サポート部
７  スリーブ
８  筒状部
９ａ  バネ腕
９ｂ  バネ腕
１０  筒状部
１１  支持部
１２  ピン
１３  キャップ
１４  型枠
１５  型枠
１６  側溝用ブロック
２０  穴開け治具
２１  スリーブ
２２  セットボス
２３  筒状部
２４  筒状部
２５  ボス部
２６  吸着盤
２７  蓋
２８  型枠
２９  擁壁用ブロック
３０  スリーブ
３１  前方筒状部
３２  後方筒状部
３３  凸部
３４  螺条
３５  周溝
３６  支持部
３７  摺嵌筒部
３８  環状突条
３９  バネ腕
４０  関節部
４１  関節部
４２  関節部
４３  リング部
４４  環状突条
４５  溝
５０  スリーブ
５１  バネ腕
５２  バネ腕
５３  リング部
５４  リング部
６０  スリーブ
６１  前方筒状部
６２  後方筒状部
６３  バネ腕
６４  係止部
６５  孔
８０  穴開け治具
８１  スリーブ
８２  つかみ
８３  係合部
８４  型枠
９０  穴開け治具
９１  ダ棒
９２  ボルト
９３  ボルト孔
９４  型枠
９５  孔
【図１】
0003815627.tif 000002
【図２】
0003815627.tif 000003
【図３】
0003815627.tif 000004
【図４】
0003815627.tif 000005
【図５】
0003815627.tif 000006
【図６】
0003815627.tif 000007
【図７】
0003815627.tif 000008
【図８】
0003815627.tif 000009
【図９】
0003815627.tif 000010
【図１０】
0003815627.tif 000011
【図１１】
0003815627.tif 000012
【図１２】
0003815627.tif 000013
【図１３】
0003815627.tif 000014
【図１４】
0003815627.tif 000015
【図１５】
0003815627.tif 000016
【図１６】
0003815627.tif 000017
【図１７】
0003815627.tif 000018
【図１８】
0003815627.tif 000019
【図１９】
0003815627.tif 000020